(57)【要約】【課題】低コスト化を図ることのできるカセットテーププレーヤを提供する。【解決手段】カセット検出手段３１を、変位可能に設けられた筐体３１ｂと、この筐体３１ｂ内に配設され一部が筐体３１ｂからカセット装着部側に突出し装着されるカセットＣによって押圧されることによりスイッチング動作する作動部材３１ｃとにより形成し、さらに、筐体３１ｂをカセット装着部側に付勢する付勢部材３３を設け、カセットＣを筐体３１ｂによって保持状態に押圧するように形成する。【選択図】　　　図１
2004095042.tif 000002
【特許請求の範囲】
【請求項１】
カセットテープが内部に収納されたカセットを装着するカセット装着部の周辺に前記カセットの装着を検出するためのカセット検出手段が設けられているとともに、カセットテープが巻回されているリールを回転駆動するためのリール駆動軸が設けられているカセットテーププレーヤであって、
前記カセット検出手段は、カセット装着部側に変位可能に設けられた筐体と、この筐体内に配設され一部が前記筐体からカセット装着部側に突出された作動部材とを備え、この作動部材が前記カセット装着部に装着されるカセットによって押圧されることによりスイッチング動作するように形成されており、さらに、前記筐体をカセット装着部側に付勢する付勢部材が設けられており、前記カセット装着部に装着される前記カセットが前記筐体によって保持状態に押圧されるように形成されていることを特徴とするカセットテーププレーヤ。
【請求項２】
前記リール駆動軸を駆動するリール駆動ギアおよび前記駆動ギアに当接して前記リール駆動ギアの回転を強制的に止めるためのブレーキ部材が設けられており、前記付勢部材の付勢力によって前記ブレーキ部材が、前記リール駆動ギアに当接する方向に付勢されていることを特徴とする請求項１に記載のカセットテーププレーヤ。
【請求項３】
前記付勢部材がねじりコイルばねであり、このねじりコイルばねの一方の腕が前記筐体に係合されており、他方の腕が前記ブレーキ部材に係合されていることを特徴とする請求項２に記載のカセットテーププレーヤ。
【発明の詳細な説明】
【０００１】
【発明の属する技術分野】
本発明は、カセットに収納されているカセットテープに対して情報の記録・再生・消去などを行うカセットテーププレーヤに関する。
【０００２】
【従来の技術】
従来から、カセットに収納されているカセットテープ（磁気テープ）に対して情報の記録・再生・消去などを行うカセットテーププレーヤが知られている。
【０００３】
図３および図４は従来のカセットテーププレーヤの要部の構成を示すものであり、従来のカセットプレーヤ１は、平面ほぼ矩形に形成されたメインフレーム２を備えている。このメインフレーム２は、図３下側がヘッド側ＨＳとされており、図３上側がヘッド側ＨＳと反対側に位置する後側ＢＳとされている。また、図４上側がカセットテープが内部に収納されているカセットＣが装着（搭載）されるカセット装着側である表面側ＦＳとされており、図４下側が表面側ＦＳと反対側に位置する背面側ＲＳとされている。
【０００４】
前記メインフレーム２の表面側ＦＳには、カセットＣを装着するためのカセット装着部３（図３に二点鎖線にて囲んで示す）が設けられており、このカセット装着部３には、左右一対のリール駆動軸４Ｌ，４Ｒが配設されている。これらのリール駆動軸４Ｌ，４Ｒは、図３の左右方向に所定の間隔をおいて回動自在に配置されている。そして、各リール駆動軸４Ｌ，４Ｒの上端部には、図４に二点鎖線にて示すカセットＣのリール孔（図示せず）に係合されるリールフェザー５がそれぞれ固着されており、下端部には、リール駆動ギア６Ｌ，６Ｒがそれぞれ固着されている。これらのリール駆動ギア６Ｌ，６Ｒは、大径の大ギア部６Ｌａ，６Ｒａと、この大ギア部６Ｌａ，６Ｒａの下面に一体形成された小径の小ギア部６Ｌｂ，６Ｒｂとにより２段ギアとされている。そして、大ギア部６Ｌａ，６Ｒａは、メインフレーム２の表面側ＦＳに配置されており、小ギア部６Ｌｂ，６Ｒｂは、その下面がメインフレーム２の背面側ＲＳに突出するように配置されている。また、両大ギア部６Ｌａ，６Ｒａの間には、図示しない駆動力切換アームに回動自在に配設されたアイドラギアが選択的に噛合するように配設されており、アイドラギアに伝達される駆動モータ（キャプスタン駆動モータ）からの駆動力によって、一方のリール駆動軸４Ｌ，４Ｒを選択的に駆動できるように構成されており、一対のリール間に巻回されているカセットテープの走行方向をフォワード方向あるいはリバース方向に切り換えることができるようになっている。さらに、図３右側の小ギア部６Ｒｂには、中間ギア７が噛合されている。
【０００５】
前記メインフレーム２の図３の左右両辺側の下部および上辺側のほぼ中央部との総計３箇所には、カセット支持部材８Ａ，８Ｂ，８Ｃがそれぞれ立設されている。そして、ヘッド側ＨＳに示す２つのカセット支持部材８Ａ，８Ｂには、平面ほぼ長方形の水平支持面８Ａａ，８Ｂａと垂直支持面８Ａｂ，８Ｂｂとにより、全体として右側面ほぼＬ字状に形成されている。また、後側ＢＳに示すカセット支持部材８Ｃには、平面ほぼ円形の水平支持面８Ｃａが形成されている。そして、３つのカセット支持部材８Ａ，８Ｂ，８Ｃのそれぞれの水平支持面８Ａａ，８Ｂａ，８Ｃａは、メインフレーム２からの高さ位置が同一に形成されており、カセットＣの装着状態において、カセットＣを下方から３点支持することで、カセットＣのメインフレーム２からの高さ位置を常に所定の位置に保持することができるようになっている。
【０００６】
前記メインフレーム２のカセットＣを装着するカセット装着部３の周辺であって、後側ＢＳに示すカセット支持部材８Ｃの図３左側には、カセットＣの装着状態において、カセットＣをヘッド側ＨＳに付勢するための付勢部材としての板ばね９が配設されている。この板ばね９は、その基端部がメインフレーム２に固着されたばね保持部材１０に装着されており、先端部が図３の上下方向に変位可能に配設されている。そして、カセットＣの装着状態において、板ばね９の付勢力によってカセットＣをヘッド側ＨＳに付勢することで、カセットＣの前面をヘッド側ＨＳに示す２つのカセット支持部材８Ａ，８Ｂの垂直支持面８Ａｂ，８Ｂｂに当接させている。これにより、カセットＣの前面の位置を常に所定の位置に保持することができるようになっている。
【０００７】
すなわち、ヘッド側ＨＳに配設されている２つのカセット支持部材８Ａ，８Ｂの垂直支持面８Ａｂ，８Ｂｂは、カセットＣのヘッド側ＨＳ方向への最大移動位置を規制する機能を具備しており、板ばね９は、カセットＣをヘッド側ＨＳに押さえる機能を具備している。
【０００８】
前記メインフレーム２のカセットＣを装着するカセット装着部３の周辺であって、後側ＢＳに示すカセット支持部材８Ｃの図３右側には、カセットＣの装着を検出するためのカセット検出手段としてのリーフスイッチ１１が設けられている。このリーフスイッチ１１は、ほぼ中空の縦長長方体状に形成された筐体１１ａと、この筐体１１ａ内に配設され一部が筐体１１ａからカセット装着部側に突出された作動部材１１ｂとを備えており、この作動部材１１ｂがカセット装着部３に装着されるカセットＣによって押圧されることによりスイッチング動作してカセットＣの装着（カセットＣが有る状態）を検出することができるように形成されている。
【０００９】
前記メインフレーム２の上面において、図３下方のヘッド側ＨＳに示す２つのカセット支持部材８Ａ，８Ｂより上方で、図３上方の後側ＢＳに示すカセット支持部材８Ｃより下方の領域により、カセットＣを装着するカセット装着部３が形成されている。
【００１０】
前記メインフレーム２の背面側ＲＳには、一対のリール駆動ギア６Ｌ，６Ｒの回転を強制的に止めるためのブレーキ部材１２が配設されている。このブレーキ部材１２は、メインフレーム２の背面側ＲＳに立設された支持軸１３によって回動自在に支持されている。また、ブレーキ部材１２は、図３において支持軸１３から右方に向かって延出された腕１２Ａと、図３において支持軸１３から下方に向かって延出された腕１２Ｂとを具備しており、全体としてほぼベルクランク状に形成されている。そして、図３右側の腕１２Ａの先端部には、中間ギア７に噛合可能な止め爪１２ａが形成されている。また、図３右側の腕１２Ａと図３下側の腕１２Ｂとの接続部分のリールフェザー５側には、図３左側の小ギア部６Ｌｂに噛合可能な止め爪１２ｂが形成されている。さらに、ブレーキ部材１２は、メインフレーム２の背面側ＲＳに配設されたねじりコイルばね１４の付勢力によって、支持軸１３を中心として図３時計方向、すなわち、リール駆動ギア６Ｌ，６Ｒの回転を強制的に止めるために寄与するブレーキ部材１２の腕１２Ａがリール駆動ギア６Ｌ，６Ｒに当接する方向に常に付勢されており、止め爪１２ａと中間ギア７、および、止め爪１２ｂと小ギア部６Ｌｂのそれぞれの両者間において常に噛合状態を保持することができるように構成されている。なお、ブレーキ部材１２は、図３左側の小ギア部６Ｌｂの背面側ＲＳに配置されており、各止め爪１２ａ，１２ｂは、ブレーキ部材１２の上面側に突設され、止め爪１２ａと中間ギア７、および、止め爪１２ｂと小ギア部６Ｌｂのそれぞれの両者間において噛合可能になっている。さらに、ブレーキ部材１２は、テープの走行時において、支持軸１３を中心として図３反時計方向に回動し、止め爪１２ａと中間ギア７、および、止め爪１２ｂと小ギア部６Ｌｂのそれぞれの両者間における噛合状態が解除されるようになっている。
【００１１】
【発明が解決しようとする課題】
ところで、近年では、各種装置の低コスト化が常に図られており、カセットテーププレーヤ１も低コスト化が図られている。そして、カセットテーププレーヤ１の低コスト化を図るうえで、部品点数の削減が求められている。
【００１２】
本発明はこの点に鑑みてなされたものであり、低コスト化を図ることのできるカセットテーププレーヤを提供することを目的とする。
【００１３】
【課題を解決するための手段】
前述した目的を達成するため本発明に係るカセットテーププレーヤの特徴は、カセットテープが内部に収納されたカセットを装着するカセット装着部の周辺にカセットの装着を検出するためのカセット検出手段が設けられているとともに、カセットテープが巻回されているリールを回転駆動するためのリール駆動軸が設けられているカセットテーププレーヤであって、カセット検出手段は、カセット装着部側に変位可能に設けられた筐体と、この筐体内に配設され一部が筐体からカセット装着部側に突出された作動部材とを備え、この作動部材がカセット装着部に装着されるカセットによって押圧されることによりスイッチング動作するように形成されており、さらに、筐体をカセット装着部側に付勢する付勢部材が設けられており、カセット装着部に装着されるカセットが筐体によって保持状態に押圧されている点にある。そして、このような構成を採用したことにより、筐体によってカセットを保持状態に押圧することができるので、部品点数を削減することができる。
【００１４】
本発明のカセットテーププレーヤにおいて、リール駆動軸を駆動するリール駆動ギアおよび駆動ギアに当接してリール駆動ギアの回転を強制的に止めるためのブレーキ部材を設けるとともに、付勢部材の付勢力によってブレーキ部材をリール駆動ギアに当接する方向に付勢することが好ましい。そして、このような構成を採用したことにより、そして、このような構成を採用したことにより、筐体によってカセットテープを保持状態に押圧するための付勢力と、ブレーキ部材をリール駆動ギアに当接する方向に付勢する付勢力とを、一つの付勢部材によって得ることができる。すなわち、一つの付勢部材に２種類の機能を合わせ持たせることができるので、部品点数をより削減することができる。
【００１５】
本発明のカセットテーププレーヤにおいて、付勢部材がねじりコイルばねであり、このねじりコイルばねの一方の腕が前記筐体に係合されており、他方の腕が前記ブレーキ部材に係合されていることが好ましい。そして、このような構成を採用したことにより、筐体およびブレーキ部材の両者に対して付勢部材の付勢力を容易かつ確実に伝達することができる。
【００１６】
【発明の実施の形態】
以下、本発明を図面に示す実施形態により説明する。なお、前述した従来のものと同一ないし相当する構成については図面中に同一の符号を付しその詳しい説明は省略する。
【００１７】
図１および図２は本発明に係るカセットテーププレーヤの実施形態の要部を示すものであり、図１は平面図、図２は図１の一部切断右側面図である。
【００１８】
図１および図２に示すように、本実施形態のカセットプレーヤ２１においては、メインフレーム２のカセットＣを装着するカセット装着部３の周辺であって、後側ＢＳに示すカセット支持部材８Ｃの図１右側に、カセットＣの装着を検出するためのカセット検出手段としてのリーフスイッチ３１が設けられている。このリーフスイッチ３１は、メインフレーム２の背面側ＲＳに間隔をおいて平行に配設された配線板３２（図２）上に固着された取付台３１ａを備えている。この取付台３１ａの上面には、ほぼ中空の縦長長方体状に形成された筐体３１ｂが配設されている。この筐体３１ｂは、取付台３１ａとの接続部を起点として上端が図１上下方向に移動可能に形成されている。すなわち、筐体３１ｂは、カセット装着部側であるヘッド側ＨＳに変位可能に設けられており、カセットＣをヘッド側ＨＳに付勢してカセットＣを保持状態に押圧することができるように形成されている。また、筐体３１ｂ内には、一部が筐体３１ｂからカセット装着部側であるヘッド側ＨＳに突出された作動部材３１ｃが配設されており、この作動部材３１ｃがカセット装着部３に装着されるカセットＣによって押圧されることによりスイッチング動作してカセットＣの装着を検出することができるように形成されている。
【００１９】
前記筐体３１ｂの後面には、付勢部材としてのねじりコイルばね３３の一方の腕３３ａが当接することで係合されており、筐体３１ｂによるカセットＣをカセット装着部側であるヘッド側ＨＳに付勢するのに必要十分な付勢力をより確実に得られるようになっている。このねじりコイルばね３３は、その胴部３３ｂがカセット支持部材８Ｃの図１左側に立設されたばね支持軸３４に装着されている。また、ねじりコイルばね３３の他方の腕３３ｃは、ブレーキ部材１２に立設されたばね係合体１２ｃに当接することで係合されている。このばね係合体１２ｃは、ブレーキ部材１２の腕１２Ａの上面の長手方向のほぼ中央部分の後側ＢＳに配置されている。そして、ばね係合体１２ｃの上端部は、メインフレーム２に形成された厚さ方向に貫通する貫通孔２ａを通して表面側ＦＡに突出されており、この上端部分の外周に前記ねじりコイルばね３３の腕３３ｃの先端近傍が係合されている。これにより、ブレーキ部材１２は、メインフレーム２の表面側ＦＳに配設されたねじりコイルばね３３の付勢力によって、支持軸１３を中心として図１時計方向、すなわち、リール駆動ギア６Ｌ，６Ｒの回転を強制的に止めるために寄与するブレーキ部材１２の腕１２Ａがリール駆動ギア６Ｌ，６Ｒに当接する方向に常に付勢されており、止め爪１２ａと中間ギア７、および、止め爪１２ｂと小ギア部６Ｌｂのそれぞれの両者間において常に噛合状態を保持することができるように構成されている。
【００２０】
その他の構成については、前述した従来のカセットテーププレーヤ１と同様とされており、その説明は省略する。
【００２１】
つぎに、前述した構成からなる本実施形態の作用について説明する。
【００２２】
本実施形態のカセットテーププレーヤ２１によれば、筐体３１ｂによってカセットＣを保持状態に押圧することができるので、部品点数を削減することができる。
【００２３】
そして、本実施形態のカセットテーププレーヤ２１によれば、筐体３１ｂを付勢して筐体３１ｂでカセットＣを保持状態に押圧するようにしたので、スイッチング動作に影響を与えることなく確実にカセットＣを押圧できる。
【００２４】
さらに、本実施形態のカセットテーププレーヤ２１によれば、リーフスイッチ３１の筐体３１ｂによってカセットＣをヘッド側ＨＳに押圧するための付勢力と、ブレーキ部材１２をリール駆動ギア６Ｌ，６Ｒに当接する方向に付勢する付勢力とを、付勢部材としての一つのねじりコイルばね３３によって容易に得ることができる。
【００２５】
すなわち、従来のカセットテーププレーヤ１においては、板ばね９とねじりコイルばね１４との２つの付勢部材を個別に必要としているのに対し、本実施形態のカセットテーププレーヤ３３においては、従来の板ばね９とねじりコイルばね１４による２種類の機能を、一つのねじりコイルばね３３に合わせ持たせることができる。
【００２６】
したがって、本実施形態のカセットテーププレーヤ２１によれば、部品点数を従来より削減することができるので、低コスト化を容易かつ確実に図ることができる。
【００２７】
また、本実施形態のカセットテーププレーヤ２１によれば、付勢部材としてねじりコイルばね３３を用いているので、簡単な構造で、筐体３１ｂおよびブレーキ部材１３の両者に対して付勢力をそれぞれ容易かつ確実に伝達することができる。
【００２８】
なお、本発明は、前記実施形態に限定されるものではなく、必要に応じて種々変更することができる。
【００２９】
【発明の効果】
以上説明したように本発明に係るカセットテーププレーヤによれば、筐体を付勢して筐体でカセットを押圧するようにしたので、スイッチング動作に影響を与えることなく確実にカセットを押圧できるなどの極めて優れた効果を奏する。さらに、本発明に係るカセットテーププレーヤによれば、低コスト化を容易かつ確実に図ることができるなどの極めて優れた効果を奏する。
【図面の簡単な説明】
【図１】本発明に係るカセットテーププレーヤの実施形態の要部を示す平面図
【図２】図１の一部切断右側面図
【図３】従来のカセットテーププレーヤの実施形態の要部を示す平面図
【図４】図３の一部切断右側面図
【符号の説明】
２　メインフレーム
２ａ　貫通孔
３　カセット装着部
４Ｌ、４Ｒ　リール駆動軸
６Ｌ、６Ｒ　リール駆動ギア
６Ｌａ、６Ｒａ　大ギア部
６Ｌｂ、６Ｒｂ　小ギア部
７　中間ギア
８Ａ、８Ｂ、８Ｃ　カセット支持部材
８Ａａ、８Ｂａ、８Ｃａ　水平支持面
８Ａｂ、８Ｂｂ　垂直支持面
１２　ブレーキ部材
１２Ａ、１２Ｂ　腕
１２ａ、１２ｂ　止め爪
１２ｃ　ばね係合体
２１　カセットテーププレーヤ
３１　リーフスイッチ
３１ａ　取付台
３１ｂ　筐体
３１ｃ　作動部材
３３　ねじりコイルばね
３３ａ、３３ｃ　腕
３４　ばね支持軸
Ｃ　カセット
ＨＳ　ヘッド側
ＢＳ　後側
ＦＳ　表面側
ＲＳ　背面側
【図１】
2004095042.tif 000003
【図２】
2004095042.tif 000004
【図３】
2004095042.tif 000005
【図４】
2004095042.tif 000006